【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
下記（ａ）及び（ｂ）を含む親水化された製品；
（ａ）疎水性表面を有する基材；並びに
（ｂ）前記基材の疎水性表面の少なくとも一部上に配置されている親水化層：
前記層は下記（ｂ）（Ｉ）を含む：
（ｂ）（Ｉ）下記（ｂ）（Ｉ）（１）〜（ｂ）（Ｉ）（４）から選択される有機リン材料；
（ｂ）（Ｉ）（１）次の構造（Ｉ）に従う有機リン化合物：
【化１】
2009540109.tif 000001
（式中、
各Ｒ1及び各Ｒ2は、独立して、存在しないか又はＯであるが、Ｒ1及びＲ2の少なくとも一方は、Ｏであり、
各Ｒ3は、独立して、アルキレンオキシ、ポリ（アルキレンオキシ）（前記アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されていてもよい）であり、
Ｒ5及び各Ｒ4は、独立して、存在しないか又はアルキレンオキシ、ポリ（アルキレンオキシ）（前記アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されていてもよい）であり、
Ｒ6及びＲ8は、それぞれ、並びに各Ｒ7は、独立して、Ｈ若しくは（Ｃ1〜Ｃ30）炭化水素（当該炭化水素は、１つ若しくは２つ以上の炭素原子上に、ヒドロキシル、フッ素、アルキル、アルケニル若しくはアリールにより置換されるか、そして／又は１若しくは２以上の位置のところで、Ｏ、Ｎ又はＳへテロ原子により中断されていてもよい）又は−ＰＯＲ9Ｒ10であり、
Ｒ9及びＲ10は、それぞれ独立して、ヒドロキシル、アルコキシ、アリールオキシ又は（Ｃ1〜Ｃ30）炭化水素（当該炭化水素は、１つ若しくは２つ以上の炭素原子上に、ヒドロキシル、フッ素、アルキル、アルケニル若しくはアリールにより置換されるか、そして／又は１若しくは２以上の位置のところで、Ｏ、Ｎ又はＳへテロ原子により中断されていてもよい）であり、そして
ｍは、１〜５の整数である）；
（ｂ）（Ｉ）（２）構造（Ｉ）に従う有機リン化合物の塩；
（ｂ）（Ｉ）（３）構造（Ｉ）に従う、１種又は２種以上の有機リン化合物の２つ又は３つ以上の分子の縮合反応生成物：並びに
（ｂ）（Ｉ）（４）前記（ｂ）（Ｉ）（１）、（ｂ）（Ｉ）（２）及び（ｂ）（Ｉ）（３）の化合物、塩及び／又は反応生成物を２種又は３種以上含む混合物。
【請求項２】
（ｃ）（ＩＩ）（１）次の構造（Ｉ−ａ）に従うモノマー単位を含むポリマー：
【化２】
2009540109.tif 000002
（ｃ）（ＩＩ）（２）ポリマー（ｃ）（ＩＩ）（１）の塩；
（ｃ）（ＩＩ）（３）１種又は２種以上のポリマー（ｃ）（ＩＩ）（１）の２つ又は３つ以上の分子の反応生成物；並びに
（ｃ）（ＩＩ）（４）前記（Ｃ）（ＩＩ）（１）、（ｃ）（ＩＩ）（２）及び（ｃ）（ＩＩ）（３）のポリマー、塩及び／又は反応生成物を２種又は３種以上含む混合物：
から選択されるビニルアルコール材料をさらに含む、請求項１に記載の親水化された製品。
【請求項３】
前記有機リン化合物において、各Ｒ1及び各Ｒ2がＯであり、そして
前記有機リン化合物が、下記；
（ＩＩ）（１）次の構造（ＩＩ）に従う有機ホスフェートエステル：
【化３】
2009540109.tif 000003
（ＩＩ）（２）構造（ＩＩ）に従う有機リン化合物の塩；
（ＩＩ）（３）構造（ＩＩ）に従う、１種又は２種以上の有機リン化合物の２つ又は３つ以上の分子の縮合反応生成物；並びに
（ＩＩ）（４）前記（ＩＩ）（１）、（ＩＩ）（２）及び（ＩＩ）（３）の化合物、塩及び／又は反応生成物を２種又は３種以上含む混合物：
から選択される、請求項１に記載の親水化された製品。
【請求項４】
前記有機リン化合物において、各Ｒ1が存在せず、各Ｒ2がＯであり、そして
前記有機リン化合物が、下記；
（ＩＩＩ）（１）次の構造（ＩＩＩ）に従う有機ホスホネートエステル：
【化４】
2009540109.tif 000004
（ＩＩＩ）（２）構造（ＩＩＩ）に従う有機リン化合物の塩；
（ＩＩＩ）（３）構造（ＩＩＩ）に従う、１種又は２種以上の有機リン化合物の２つ又は３つ以上の分子の縮合反応生成物；並びに
（ＩＩＩ）（４）前記（ＩＩＩ）（１）、（ＩＩＩ）（２）及び（ＩＩＩ）（３）の化合物、塩及び／又は反応生成物を２種又は３種以上含む混合物：
から選択される、請求項１に記載の親水化された製品。
【請求項５】
前記有機リン化合物において、各Ｒ1がＯであり、各Ｒ2が存在せず、そして
前記有機リン化合物が、下記；
（ＩＶ）（１）次の構造（ＩＶ）に従う有機ホスホネートエステル：
【化５】
2009540109.tif 000005
（ＩＶ）（２）構造（ＩＶ）に従う有機リン化合物の塩；
（ＩＶ）（３）構造（ＩＶ）に従う、１種又は２種以上の有機リン化合物の２つ又は３つ以上の分子の縮合反応生成物；並びに
（ＩＶ）（４）前記（ＩＶ）（１）、（ＩＶ）（２）及び（ＩＶ）（３）の化合物、塩及び／又は反応生成物を２種又は３種以上含む混合物：
から選択される、請求項１に記載の親水化された製品。
【請求項６】
前記有機リン化合物において、各Ｒ3が、次の構造（Ｖ）、（ＶＩ）、（ＶＩＩ）又は（ＶＩＩＩ）：
【化６】
2009540109.tif 000006
【化７】
2009540109.tif 000007
（式中、
各Ｒ12及び各Ｒ13は、独立して、Ｈ、ヒドロキシル、アルキル、ヒドロキシアルキル、アルコキシ、アルケニル、アリール、アリールオキシであるか、又は隣接する炭素原子に結合する２つのＲ12基が縮合して、それらが結合する炭素原子と一緒になって、（Ｃ6〜Ｃ8）炭化水素環を形成することができ、
Ｒ20は、Ｈ、ヒドロキシル、アルキル、ヒドロキシアルキル、アルコキシ、アルケニル、アリール又はアリールオキシであり、
Ｒ22は、ヒドロキシル又はヒドロキシアルキルであるが、Ｒ20及びＲ22は、お互いにヒドロキシルではなく、
Ｒ23及びＲ21は、それぞれ独立して、メチレン又はポリ（メチレン）であり、
ｐ、ｐ’、ｐ’’、ｑ、ｘ及びｘ’は、それぞれ独立して、２〜５の整数であり、
各ｒ、ｓ、ｒ’、ｒ’’及びｙは、独立して、０〜２５の数であるが、ｒ及びｓの少なくとも一方は０ではなく、
ｕは、２〜１０の整数であり、
ｖ及びｗは、それぞれ、１〜２５の整数であり、そして
ｔ、ｔ’及びｔ’’は、それぞれ、１〜２５の数であるが、量（ｒ＋ｓ）×度数ｔの積は、１００以下であり、量（ｖ＋ｒ’）×度数ｔ’の積は、１００以下であり、そして量（ｗ＋ｒ’’）×度数ｔ’’の積は、１００以下である）
に従う２価の基である、請求項１に記載の親水化された製品。
【請求項７】
前記有機リン化合物において、各Ｒ4及び各Ｒ5は、独立して、存在しないか、又は構造（Ｖ）、構造（ＶＩ）若しくは構造（ＶＩＩ）に従う２価の基である、請求項６に記載の親水化された製品。
【請求項８】
前記有機リン化合物において、各Ｒ3が、独立して、構造（Ｖ）、構造（ＶＩ）又は構造（ＶＩＩ）に従う２価の基であり、Ｒ4及びＲ5が、それぞれ独立して、存在しないか又はＲ3である、請求項６に記載の親水化された製品。
【請求項９】
前記有機リン化合物において、各Ｒ3が、独立して、構造（Ｖ）（式中、ｐが、２、３又は４であり、ｒが、１〜２５の整数であり、ｓが、０であり、ｔが、１〜２の整数である）に従う２価の基であり、そしてＲ4及びＲ5が、それぞれ独立して、存在しないか又はＲ3である、請求項６に記載の親水化された製品。
【請求項１０】
前記有機リン化合物において、各Ｒ3が、構造（ＶＩ）（式中、Ｒ12基が縮合して、それらが結合されている炭素原子を含む（Ｃ6〜Ｃ8）炭化水素環を形成し、各Ｒ13が、Ｈであり、ｐ’が、２又は３であり、ｕが、２であり、ｖが、１〜３の整数であり、ｒ’が、１〜２５の整数であり、ｔ’が、１〜２５の整数であり、量（ｖ＋ｒ’）×度数ｔ’の積が、１００以下である）に従う２価の基であり、そしてＲ4及びＲ5が、それぞれ独立して、存在しないか又はＲ3である、請求項６に記載の親水化された製品。
【請求項１１】
前記有機リン化合物において、各Ｒ3が、独立して、次の構造（ＶＩＩ）：
【化８】
2009540109.tif 000008
（式中、Ｒ20はヒドロキシル又はヒドロキシアルキルであり、Ｒ22は、Ｈ、アルキル、ヒドロキシル又はヒドロキシアルキルであるが、Ｒ20及びＲ22は、お互いにヒドロキシルではなく、Ｒ21及びＲ23は、それぞれ独立して、メチレン、ジ（メチレン）又はトリ（メチレン）であり、ｗは、１又は２であり、ｐは、２又は３であり、ｐ’’は、２又は３であり、ｒ’’は、１〜２５の整数であり、ｔ’’は、１〜２５の整数であり、量（ｗ＋ｒ’’）×度数ｔ’’の積は、１００以下である）
に従う２価の基であり、そしてＲ4及びＲ5が、それぞれ独立して、存在しないか又はＲ3である、請求項１に記載の親水化された製品。
【請求項１２】
前記有機リン化合物において、各Ｒ1及び各Ｒ2がＯであり、そして
前記有機リン化合物が、下記；
（ＩＩ）（１）次の構造（ＩＩ）に従う有機ホスフェートエステル：
【化９】
2009540109.tif 000009
（ＩＩ）（２）構造（ＩＩ）に従う有機リン化合物の塩；
（ＩＩ）（３）構造（ＩＩ）に従う、１種又は２種以上の有機リン化合物の２つ又は３つ以上の分子の縮合反応生成物；並びに
（ＩＩ）（４）前記（ＩＩ）（１）、（ＩＩ）（２）及び（ＩＩ）（３）の化合物、塩及び／又は反応生成物を２種又は３種以上含む混合物：
から選択され、
構造（ＩＩ）に従う有機リン化合物において；
Ｒ6及びＲ8は、それぞれ、並びに各Ｒ7は、独立して、Ｈ若しくは（Ｃ1〜Ｃ30）炭化水素（当該炭化水素は、１つ若しくは２つ以上の炭素原子上に、ヒドロキシル、フッ素、アルキル、アルケニル若しくはアリールにより置換されるか、そして／又は１若しくは２以上の位置のところで、Ｏ、Ｎ又はＳへテロ原子により中断されていてもよい）又は−ＰＯＲ9Ｒ10であり；
Ｒ4及びＲ5は、それぞれ、存在せず；
各Ｒ3は、独立して構造（Ｖ）、構造（ＶＩ）又は構造（ＶＩＩ）に従う２価の基であり；そして
ｍは、１〜５の整数である：
請求項６に記載の親水化された製品。
【請求項１３】
Ｒ6、Ｒ8及び各Ｒ7が、それぞれ、Ｈである、請求項１２に記載の親水化された製品。
【請求項１４】
構造（ＩＩ）に従う有機リン化合物において、
Ｒ6、Ｒ8及び各Ｒ7が、それぞれ、Ｈであり、
Ｒ4及びＲ5が、それぞれ、存在せず、
各Ｒ3が、独立して、次の構造（Ｖ）：
【化１０】
2009540109.tif 000010
（式中、各ｐ、ｑは、独立して、２、３又は４であり、
各ｒは、独立して、１〜１００の数であり、
各ｓは、０であり、
各ｔは、１であり、そして
ｍは、１〜５の整数である）
に従う２価の基である、請求項３に記載の親水化された製品。
【請求項１５】
前記有機リン材料が、下記；
（ＩＸ）（１）次の構造（ＩＸ）に従う有機リン化合物：
【化１１】
2009540109.tif 000011
（式中、
ｐは、２、３又は４であり、
ｒは、４〜５０の数である）
（ＩＸ）（２）構造（ＩＸ）に従う有機リン化合物の塩；並びに
（ＩＸ）（３）前記（ＩＸ）（１）及び（ＩＸ）（２）の化合物及び／又は塩を２種又は３種以上含む混合物：
から選択される、請求項１に記載の親水化された製品。
【請求項１６】
前記有機リン化合物において、各Ｒ1及び各Ｒ2がＯであり、そして前記有機リン化合物が下記；
（ＩＩ）（１）次の構造（ＩＩ）に従う有機ホスフェートエステル：
【化１２】
2009540109.tif 000012
（ＩＩ）（２）構造（ＩＩ）に従う有機リン化合物の塩；
（ＩＩ）（３）構造（ＩＩ）に従う、１種又は２種以上の有機リン化合物の２つ又は３つ以上の分子の縮合反応生成物；並びに
（ＩＩ）（４）前記（ＩＩ）（１）、（ＩＩ）（２）及び（ＩＩ）（３）の化合物、塩及び／又は反応生成物を２種又は３種以上含む混合物：
から選択され、
構造（ＩＩ）に従う有機リン化合物において；
Ｒ6、Ｒ8及び各Ｒ7が、それぞれ、Ｈであり；
Ｒ4及びＲ5が、それぞれ、存在せず；
各Ｒ3が、構造（ＶＩ）に従う２価の基であり；
Ｒ12基が縮合して、それらが結合されている炭素原子を含む（Ｃ6〜Ｃ8）炭化水素環を形成し；
各Ｒ13が、Ｈであり；
ｐ’が、２又は３であり；
ｕが、２であり；
ｖが、１であり；
ｒ’が、１〜２５の数であり；
ｔ’が、１〜２５の数であり；
量（ｖ＋ｒ’）×度数ｔ’の積が、１００以下であり、そして
ｍが、１〜５の整数である：
請求項６に記載の親水化された製品。
【請求項１７】
前記有機リン化合物において、各Ｒ1及び各Ｒ2がＯであり、そして
前記有機リン化合物が、下記：
（ＩＩ）（１）次の構造（ＩＩ）に従う有機ホスフェートエステル：
【化１３】
2009540109.tif 000013
（ＩＩ）（２）構造（ＩＩ）に従う有機リン化合物の塩；
（ＩＩ）（３）構造（ＩＩ）に従う、１種又は２種以上の有機リン化合物の２つ又は３つ以上の分子の縮合反応生成物；並びに
（ＩＩ）（４）前記（ＩＩ）（１）、（ＩＩ）（２）及び（ＩＩ）（３）の化合物、塩及び／又は反応生成物を２種又は３種以上含む混合物：
から選択され、
構造（ＩＩ）に従う有機リン化合物において；
Ｒ6、Ｒ8及び各Ｒ7が、それぞれ、Ｈであり；
Ｒ4及びＲ5が、それぞれ、存在せず；
各Ｒ3が、独立して、構造（ＶＩＩ）に従う２価の基であり；
Ｒ20が、ヒドロキシル又はヒドロキシアルキルであり；
Ｒ22が、Ｈ、アルキル、ヒドロキシル又はヒドロキシアルキルであり；
Ｒ23及びＲ21が、それぞれ独立して、メチレン、ジ（メチレン）又はトリ（メチレン）であり；
ｗが、１又は２であり；
ｐ’’が、２又は３であり；
ｒ’’が、１〜２５の数であり；
ｔ’’が、１〜２５の数であり；
量（ｗ＋ｒ’’）×度数ｔ’’の積が、１００以下であり、そして
ｍが、１〜５の整数である：
請求項６に記載の親水化された製品。
【請求項１８】
前記有機リン化合物が、構造（ＩＩＩ）に従い、各Ｒ3が、構造（Ｖ）に従う２価の基であり、ｓ＝０及びｔ＝１であり、Ｒ4及びＲ5が、それぞれ、存在せず、そしてＲ6、Ｒ7及びＲ8が、それぞれ、Ｈである、請求項４に記載の親水化された製品。
【請求項１９】
前記有機リン化合物において、前記有機リン化合物が構造（ＩＶ）に従い、Ｒ3及びＲ5が、それぞれ、構造（Ｖ）に従い、ｓ＝０及びｔ＝１であり、そしてＲ6及びＲ8が、それぞれ、Ｈである、請求項５に記載の親水化された製品。
【請求項２０】
有機リン材料（ｂ）（Ｉ）が、構造（Ｉ）に従う２つ又は３つ以上の分子の縮合反応生成物を含む、請求項１に記載の親水化された製品。
【請求項２１】
有機リン材料（ｂ）（Ｉ）が、直鎖分子状の、構造（Ｉ）に従う２つ又は３つ以上の分子の縮合反応生成物を含む、請求項１に記載の親水化された製品。
【請求項２２】
有機リン材料（ｂ）（Ｉ）が、次の構造（ＩＩ）：
【化１４】
2009540109.tif 000014
に従う分子を、次の構造（Ｖ）：
【化１５】
2009540109.tif 000015
（式中、
各ｐ、ｑは、独立して、２〜５の整数であり、
各ｒ、ｓは、独立して、０〜２５の数であるが、
ｒ及びｓの少なくとも一方は、０ではなく、そして
ｔは、１〜２５の数であるが、
量（ｒ＋ｓ）×度数ｔの積は、１００以下である）
に従う分子と縮合させることにより形成された、次の構造（Ｘ）：
【化１６】
2009540109.tif 000016
に従う直鎖の縮合反応生成物から成る群から選択される直鎖分子状の構造（Ｉ）に従う２つ又は３つ以上の分子の縮合反応生成物を含む、請求項１に記載の親水化された製品。
【請求項２３】
有機リン材料（ｂ）（Ｉ）が、架橋された網目の形態の、構造（Ｉ）に従う２つ又は３つ以上の分子の縮合反応生成物を含む、請求項１に記載の親水化された製品。
【請求項２４】
前記架橋された網目が、次の構造（ＸＩ）：
【化１７】
2009540109.tif 000017
（式中、
Ｒ1、Ｒ2、Ｒ4、Ｒ5、Ｒ6、Ｒ7、Ｒ8及びｍは、それぞれ、上述の通りであり、そして
各Ｒ3’は、独立して、上述のように、構造（Ｉ）に従う化合物のＲ3基の残差であり、ここでＲ3基は、アルキレンオキシ又はポリ（アルキレンオキシ）部分の１つ又は２つ以上の炭素原子上に、ヒドロキシル−、ヒドロキシアルキル−、ヒドロキシアルキルレンオキシ−又はヒドロキシポリ（アルキレンオキシ）−で置換されたアルキレンオキシ又はポリ（アルキレンオキシ）部分であり、そして
−Ｒ3’−Ｒ4−及び−Ｒ3’−Ｒ5−は、それぞれ、構造（Ｉ）に従う化合物の別の分子の−Ｒ3’−Ｒ5−又はＲ8−Ｒ5−基及びＲ3基の縮合により形成されたそれぞれの結合を表す）
により具体的に説明される縮合反応生成物網目を含む、請求項２３に記載の親水化された製品。
【請求項２５】
疎水性表面の少なくとも一部を、下記を用いて処理することを含む、疎水性表面を有する基材を親水化するための方法；
（ｂ）（Ｉ）下記（ｂ）（Ｉ）（１）〜（ｂ）（Ｉ）（４）から選択される有機リン材料；
（ｂ）（Ｉ）（１）次の構造（Ｉ）に従う有機リン化合物：
【化１８】
2009540109.tif 000018
（式中、
各Ｒ1及び各Ｒ2は、独立して、存在しないか又はＯであるが、Ｒ1及びＲ2の少なくとも一方は、Ｏであり、
各Ｒ3は、独立して、アルキレンオキシ、ポリ（アルキレンオキシ）（当該アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されていてもよい）であり、
Ｒ5及び各Ｒ4は、独立して、存在しないか又はアルキレンオキシ、ポリ（アルキレンオキシ）（当該アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されていてもよい）であり、
Ｒ6及びＲ8は、それぞれ、並びに各Ｒ7は、独立して、Ｈ若しくは（Ｃ1〜Ｃ30）炭化水素（当該炭化水素は、１つ若しくは２つ以上の炭素原子上に、ヒドロキシル、フッ素、アルキル、アルケニル若しくはアリールにより置換されるか、そして／又は１若しくは２以上の位置のところで、Ｏ、Ｎ又はＳへテロ原子により中断されていてもよい）又は−ＰＯＲ9Ｒ10であり、
Ｒ9及びＲ10は、それぞれ独立して、ヒドロキシル、アルコキシ、アリールオキシ又は（Ｃ1〜Ｃ30）炭化水素（当該炭化水素は、１つ若しくは２つ以上の炭素原子上に、ヒドロキシル、フッ素、アルキル、アルケニル若しくはアリールにより置換されるか、そして／又は１若しくは２以上の位置のところで、Ｏ、Ｎ又はＳヘテロ原子により中断されていてもよい）であり、そして
ｍは、１〜５の整数である）；
（ｂ）（Ｉ）（２）構造（Ｉ）に従う有機リン化合物の塩；
（ｂ）（Ｉ）（３）構造（Ｉ）に従う、１種又は２種以上の有機リン化合物の２つ又は３つ以上の分子の縮合反応生成物：並びに
（ｂ）（Ｉ）（４）前記（ｂ）（Ｉ）（１）、（ｂ）（Ｉ）（２）及び（ｂ）（Ｉ）（３）の化合物、塩及び／又は反応生成物を２種又は３種以上含む混合物。
【請求項２６】
前記有機リン材料を含む処理組成物を用いて、前記疎水性表面の少なくとも一部を処理することを含む、疎水性表面を有する基材を親水化するための方法であって、
前記処理組成物が、下記；
（ｃ）（ＩＩ）（１）次の構造（Ｉ−ａ）に従うモノマー単位を含むポリマー：
【化１９】
2009540109.tif 000019
（ｃ）（ＩＩ）（２）ポリマー（ｃ）（ＩＩ）（１）の塩；
（ｃ）（ＩＩ）（３）１種又は２種以上のポリマー（ｃ）（ＩＩ）（１）の２つ又は３つ以上の分子の反応生成物；並びに
（ｃ）（ＩＩ）（４）前記（ｃ）（ＩＩ）（１）、（ｃ）（ＩＩ）（２）及び（ｃ）（ＩＩ）（３）の化合物、塩及び／又は反応生成物を２種又は３種以上含む混合物：
から選択されるビニルアルコール材料をさらに含む、
請求項２５に記載の疎水性表面を有する基材を親水化するための方法。
【請求項２７】
下記を含む吸収性製品；
疎水性表面を有する基材；及び
前記基材の疎水性表面の少なくとも一部上に配置されている親水化層；
ここで、前記層が、下記（ｂ）（Ｉ）を含む；
（ｂ）（Ｉ）下記（ｂ）（Ｉ）（１）〜（ｂ）（Ｉ）（４）から選択される有機リン材料；
（ｂ）（Ｉ）（１）次の構造（Ｉ）に従う有機リン化合物：
【化２０】
2009540109.tif 000020
（式中、
各Ｒ1及び各Ｒ2は、独立して、存在しないか又はＯであるが、Ｒ1及びＲ2の少なくとも一方は、Ｏであり、
各Ｒ3は、独立して、アルキレンオキシ、ポリ（アルキレンオキシ）（当該アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されていてもよい）であり、
Ｒ5及び各Ｒ4は、独立して、存在しないか、又はアルキレンオキシ、ポリ（アルキレンオキシ）（当該アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されていてもよい）であり、
Ｒ6及びＲ8は、それぞれ、並びに各Ｒ7は、独立して、Ｈ若しくは（Ｃ1〜Ｃ30）炭化水素（当該炭化水素は、１つ若しくは２つ以上の炭素原子上に、ヒドロキシル、フッ素、アルキル、アルケニル若しくはアリールにより置換されるか、そして／又は１若しくは２以上の位置のところで、Ｏ、Ｎ又はＳへテロ原子により中断されていてもよい）又は−ＰＯＲ9Ｒ10であり、
Ｒ9及びＲ10は、それぞれ独立して、ヒドロキシル、アルコキシ、アリールオキシ又は（Ｃ1〜Ｃ30）炭化水素（当該炭化水素は、１つ若しくは２つ以上の炭素原子上に、ヒドロキシル、フッ素、アルキル、アルケニル若しくはアリールにより置換されるか、そして／又は１若しくは２以上の位置のところで、Ｏ、Ｎ又はＳへテロ原子により中断されていてもよい）であり、そして
ｍは、１〜５の整数である）；
（ｂ）（Ｉ）（２）構造（Ｉ）に従う有機リン化合物の塩；
（ｂ）（Ｉ）（３）構造（Ｉ）に従う、１種又は２種以上の有機リン化合物の２つ又は３つ以上の分子の縮合反応生成物：並びに
（ｂ）（Ｉ）（４）前記（ｂ）（Ｉ）（１）、（ｂ）（Ｉ）（２）及び（ｂ）（Ｉ）（３）の化合物、塩及び／又は反応生成物を２種又は３種以上含む混合物。
【請求項２８】
前記層が、下記；
（ｃ）（ＩＩ）下記（ｃ）（ＩＩ）（１）〜（ｃ）（ＩＩ）（４）から選択されるビニルアルコール材料；
（ｃ）（ＩＩ）（１）次の構造（Ｉ−ａ）に従うモノマー単位を含むポリマー：
【化２１】
2009540109.tif 000021
（ｃ）（ＩＩ）（２）ポリマー（ｃ）（ＩＩ）（１）の塩；
（ｃ）（ＩＩ）（３）１種又は２種以上のポリマー（ｃ）（ＩＩ）（１）の２つ又は３つ以上の分子の反応生成物；並びに
（ｃ）（ＩＩ）（４）前記（ｃ）（ＩＩ）（１）、（ｃ）（ＩＩ）（２）及び（ｃ）（ＩＩ）（３）のポリマー、塩及び／又は反応生成物を２種又は３種以上含む混合物：
をさらに含む、請求項７に記載の親水化された製品。